(57)【特許請求の範囲】
【請求項１】
モータに駆動されて回転するランナーと、同ランナーの中央部に給気するためのインレットコーンを備えた送風機の前記ランナーの外径より大きい内径を有するリング状ダンパーをランナーのベーンに接触することなく被せることができるように左右摺動自在に保持するガイド機構と同ダンパーを左右往復直線運動させる作動機構を設けた送風機の送風量調節装置において、前記リング状ダンパーを、同ダンパーを包囲する補強枠に一体固着すると共に、前記ガイド機構と作動機構の受部を該補強枠に設けたことを特徴とする送風機の送風量調節装置。
【発明の詳細な説明】
【０００１】
【産業上の利用分野】
本発明は、空調機器に使用される送風機において送風量を１００から０％迄自在に調節することができるリング状ダンパーを使用した送風機の送風量調節装置の改良に関するものである。
【０００２】
【従来技術】
従来からモータに駆動されて回転するランナーと、同ランナーの中央部に給気するためのインレットコーンを備えた送風機の送風量をリング状ダンパーを使用して１００から０％迄自在に調節することができる送風機の送風量調節装置は特開平５−２０２８９７号公報によって既に公知であるが、その構造は、前記送風機のランナーの外径より大きい内径を有するリング状ダンパーをランナーのベーンに接触することなく被せることができるように左右摺動自在に保持するガイド機構と同ダンパーを左右往復直線運動させる作動機構を設けた構造であった。
【０００３】
【従来技術の問題点】
従来公知の送風量調節装置に使用されるリング状ダンパーにあっては、その板厚が薄く、且つ、ガイド機構及び作動機構をダンパーに溶着されたパイプ或いはナットを介して直接ダンパーに取り付けるものであったため、ランナーの回転により送風が開始されると、その風圧によってダンパーが変形したり、振動したりするという問題点があり、この問題点が送風量を１００から０％迄自在に調節することができる送風量調節装置の実用化の障害となっていた。
【０００４】
【発明の目的】
本発明は、上記問題点を解決するために、ダンパーに補強枠を設け、この補強枠にガイド機構及び作動機構の受部を設けることによってダンパーの変形及び振動を抑えることができるようにしたリング状ダンパー使用の送風量調節装置を提供することを目的とするものである。
【０００５】
【発明の開示】
本発明に係るリング状ダンパーの補強装置は、モータに駆動されて回転するランナーと、同ランナーの中央部に給気するためのインレットコーンを備えた送風機の前記ランナーの外径より大きい内径を有するリング状ダンパーをランナーのブレードに接触することなく被せることができるように左右摺動自在に保持するガイド機構と同ダンパーを左右往復直線運動させる作動機構を設けた送風機の送風量調節装置において、前記リング状ダンパーを、同ダンパーを包囲する補強枠に一体固着すると共に、前記ガイド機構と作動機構の受部を該補強枠に設けたことを特徴とするものである。
【０００６】
【発明の作用】
風圧によってリング状ダンパーが変形或いは振動しようとする力はこのダンパーを包囲する補強枠が吸収する。
【０００７】
【実施例】
本発明装置の実施例を図面について具体的に説明する。
図１は、本発明装置の正面図、図２は、同側面図であって、１は、送風機を構成するモータに駆動されて回転するランナーで、基板１１に複数のベーン１２…１２が固着され、その中央部は空間部となっており、その空間部に漏斗状のインレットコーン２から吸引された空気が侵入するようになっている。同ランナーは、基板１１に一体固着された回転軸１３が送風機を収納するケーシングＡ内に形成された架台Ｂ上に固定された軸受１４、１４によって水平状態に支持され、モータ（図示せず）の駆動により回転し、インレットコーン２から空間部に吸引された空気をベーン１２…１２の間隙から外方向に吐出させケーシングＡに接続されるダクトを介して目的個所へ送風する。３は、該ランナー１に接触しないように被さり、この被さる程度を調節することによってランナーからの空気の吐出量即ち送風量を調節するリング状ダンパー、４は、同リング状ダンパー３を包囲してダンパーの強度を高める補強枠で、図３に示すようにコの字型の枠材４１とこの枠材４１の両側面をサンドイッチ状に挟む一対の門型の枠材４２、４２とから構成され、門型の枠材４２、４２の三個所には後述するガイド機構の支持杆と作動機構のネジ杆が挿通される孔４２ａ…４２ａが穿設され、この孔に中央の孔が一致するように受板４２ｂ…４２ｂが枠材４２、４２の片面若しくは両面に固着されている。このようにコの字型の枠材４１と門型の枠材４２、４２とから構成された補強枠４を前記リング状ダンパー３に被せ、接触する部分を溶着して一体化する。５、５は、ガイド機構を構成する支持杆で、左右対称位置にある前方の受板４２ｂ、４２ｂの孔から後方の受板４２ｂ、４２ｂの孔に貫通させ、その貫通してきた一端が前記インレットコーン２の一部に固着され、他端は架台Ｂ上にある固定枠Ｃの一部に固着されている。これによって補強枠４即ちダンパー３は水平状態に保持され、前後摺動可能となっている。６は、作動機構を構成するネジ杆で、補強枠４の上部にある前方の受板４２ｂの孔から後方の受板４２ｂに一体溶着されたナット６１の螺孔にその螺子部を螺合させ、その突出してきた一端が前記インレットコーン２の一部にネジ杆６が回転できるように装着され、他端にはネジ杆６を回転させるためのハンドル６２が設けられている。
【０００８】
作動機構のハンドル６を回転し、ネジ杆６を回転させると、後方の枠材４２の受板４２ｂに一体溶着されたナット６１は回転しないので、補強枠４即ちダンパー３はこのナット６１に螺合するネジ杆６の螺子部に押されて図左方向へ移動し、ランナー２の空気吐出部に被さるので、その被さる程度によって空気吐出部の面積が変わり、吐出風量即ち送風量が変化する。この変化は最大１００％から最小０％であり、この送風量の調節作用は従来公知の装置と同じであるが、ダンパー３がランナー２の空気吐出部に被さったとき、風圧を受けて歪みが生じようとするが、ダンパー３を包囲する補強枠４がその歪み力を吸収するので、ダンパーの変形或いは振動がないものである。
【０００９】
【発明の効果】
本発明に係る送風機の送風量調節装置によれば、モータに駆動されて回転するランナーと、同ランナーの中央部に給気するためのインレットコーンを備えた送風機の前記ランナーの外径より大きい内径を有するリング状ダンパーをランナーのベーンに接触することなく被せることができるように左右摺動自在に保持するガイド機構と同ダンパーを左右往復直線運動させる作動機構を設けた送風機の送風量調節装置において、前記リング状ダンパーを、同ダンパーを包囲する補強枠に一体固着すると共に、前記ガイド機構と作動機構の受部を該補強枠に設けたものであるから、ダンパーがランナーの空気吐出部に被さったとき、風圧を受けてダンパーに歪みが生じようとしてもダンパーを包囲する補強枠がその歪み力を吸収してダンパーの変形或いは振動を防止することができ、送風量を１００から０％迄自在に調節することができる送風量調節装置の実用化の障害を解消するに至ったものである。
尚、補強枠は、実施例図に限らずリング状ダンパーを包囲する形状であればよく、円筒形の形状であってもよいものである。
【図面の簡単な説明】
【図１】本発明装置の正面図である。
【図２】本発明装置の側面図である。
【図３】補強枠の分解斜視図である。
【符号の説明】
１          ランナー
２          インレットコーン
３          リング状ダンパー
４          補強枠
５          支持杆
６          ネジ杆
【図１】
0003746088.tif 000002
【図２】
0003746088.tif 000003
【図３】
0003746088.tif 000004